【手続補正書】
【提出日】平成28年4月25日(2016.4.25)
【手続補正１】
【補正対象書類名】特許請求の範囲
【補正対象項目名】全文
【補正方法】変更
【補正の内容】
【特許請求の範囲】
【請求項１】
独立してイネーブルまたはディセーブルにされるように構成された第１の増幅段、ここで、前記第１の増幅段は、前記第１の増幅段がイネーブルであるときに、入力無線周波数（ＲＦ）信号を受信して増幅し、第１の出力ＲＦ信号を第１の負荷回路に提供するようにさらに構成され、前記入力ＲＦ信号は、異なる周波数におけるマルチプルなキャリア上でワイヤレスデバイスに送られる伝送を備える、
独立してイネーブルまたはディセーブルにされるように構成された第２の増幅段、ここで、前記第２の増幅段は、前記第２の増幅段がイネーブルであるときに、前記入力ＲＦ信号を受信して増幅し、第２の出力ＲＦ信号を第２の負荷回路に提供するようにさらに構成される、
を備える、装置。
【請求項２】
前記第１の増幅段が、第１のカスコードトランジスタに結合された第１のゲイントランジスタを備え、前記第２の増幅段が、第２のカスコードトランジスタに結合された第２のゲイントランジスタを備え、前記入力ＲＦ信号が、前記第１および第２のゲイントランジスタの両方に提供される、請求項１に記載の装置。
【請求項３】
前記第１の増幅段が、前記第１のゲイントランジスタに結合された第１のインダクタをさらに備え、前記第２の増幅段が、前記第２のゲイントランジスタに結合された第２のインダクタをさらに備え、および／または、
前記第１および第２のゲイントランジスタが、回路グラウンドに結合されたソースを有する、請求項２に記載の装置。
【請求項４】
前記第１および第２の増幅段が、第１のモードでは、前記第１および第２の出力ＲＦ信号を提供し、第２のモードでは、前記第１の出力ＲＦ信号を提供するが前記第２の出力ＲＦ信号を提供せず、前記第１のモードでは、前記第１および第２のカスコードトランジスタがイネーブルであり、前記第２のモードでは、前記第１および第２のカスコードトランジスタのうちの一方のみがイネーブルであり、
前記第１および第２のゲイントランジスタが、前記第１のモードおよび前記第２のモードの両方において前記入力ＲＦ信号を印加され、前記第２のモードでは、前記第１および第２のゲイントランジスタのうちの一方が飽和領域において動作し、前記第１および第２のゲイントランジスタのうちの他方が線形領域において動作する、請求項２に記載の装置。
【請求項５】
前記第１および第２の増幅段のうちの少なくとも１つの出力と入力との間に結合されたフィードバック回路をさらに備え、前記フィードバック回路が、レジスタ、もしくはキャパシタ、またはレジスタとキャパシタの両方を備える、請求項１に記載の装置。
【請求項６】
前記第１の増幅段に結合され、前記入力ＲＦ信号を受信するように構成された、第１の減衰回路と、
前記第２の増幅段に結合され、前記入力ＲＦ信号を受信するように構成された、第２の減衰回路とをさらに備える、あるいは、
前記第１および第２の増幅段に結合され、前記入力ＲＦ信号を受信するように構成された減衰回路をさらに備える、
請求項１に記載の装置。
【請求項７】
前記第１および第２の増幅段に結合され、受信機入力信号を受信して前記入力ＲＦ信号を提供するように構成された入力整合回路をさらに備え、
前記入力整合回路が、同調可能であり、少なくとも１つの調整可能な回路コンポーネントを備える、請求項１に記載の装置。
【請求項８】
第３の増幅段であって、前記第３の増幅段がイネーブルであるときに、第２の入力ＲＦ信号を受信して増幅し、前記第１の出力ＲＦ信号を前記第１の負荷回路に提供するように構成された前記第３の増幅段と、
第４の増幅段であって、前記第４の増幅段がイネーブルであるときに、前記第２の入力ＲＦ信号を受信して増幅し、前記第２の出力ＲＦ信号を前記第２の負荷回路に提供するように構成された前記第４の増幅段と
をさらに備える、請求項１に記載の装置。
【請求項９】
前記第１の増幅段は、前記第１の増幅段がイネーブルであるときに、前記入力ＲＦ信号または第２の入力ＲＦ信号を受信して増幅し、前記第１の出力ＲＦ信号を前記第１の負荷回路に提供するように構成され、
前記第２の増幅段は、前記第２の増幅段がイネーブルであるときに、前記入力ＲＦ信号または前記第２の入力ＲＦ信号を受信して増幅し、前記第２の出力ＲＦ信号を前記第２の負荷回路に提供するように構成される、
請求項１に記載の装置。
【請求項１０】
前記第１の増幅段が、第３のカスコードトランジスタに結合された第３のゲイントランジスタをさらに備え、前記第２の増幅段が、第４のカスコードトランジスタに結合された第４のゲイントランジスタをさらに備え、第２の入力ＲＦ信号が、前記第３および第４のゲイントランジスタの両方に提供される、請求項２に記載の装置。
【請求項１１】
第３の増幅段であって、前記第３の増幅段がイネーブルであるときに、第３の入力ＲＦ信号または第４の入力ＲＦ信号を受信して増幅し、前記第１の出力ＲＦ信号を前記第１の負荷回路に提供するように構成された前記第３の増幅段と、
第４の増幅段であって、前記第４の増幅段がイネーブルであるときに、前記第３の入力ＲＦ信号または前記第４の入力ＲＦ信号を受信して増幅し、前記第２の出力ＲＦ信号を前記第２の負荷回路に提供するように構成された前記第４の増幅段と
をさらに備える、請求項９に記載の装置。
【請求項１２】
第１の増幅段がイネーブルであるときに、第１の出力無線周波数（ＲＦ）信号を得るために、前記第１の増幅段で第１の入力ＲＦ信号を増幅することと、ここで、前記第１の増幅段は、独立してイネーブルまたはディセーブルにされるように構成され、前記第１の入力ＲＦ信号は、異なる周波数におけるマルチプルなキャリア上でワイヤレスデバイスに送られる伝送を備える、
第２の増幅段がイネーブルであるときに、第２の出力ＲＦ信号を得るために、前記第２の増幅段で前記第１の入力ＲＦ信号または第２の入力ＲＦ信号を増幅することと、ここで、前記第２の増幅段は、独立してイネーブルまたはディセーブルにされるように構成される、
を備える、方法。
【請求項１３】
前記第１および第２の出力ＲＦ信号を得るために、第１のモードにおいて、前記第１および第２の増幅段をイネーブルにすることと、
前記第２の出力ＲＦ信号は得ずに前記第１の出力ＲＦ信号を得るために、第２のモードにおいて、前記第１の増幅段をイネーブルにし、前記第２の増幅段をディセーブルにすることと
をさらに備える、請求項１２に記載の方法。
【請求項１４】
増幅するための第１の手段であって、増幅するための前記第１の手段がイネーブルであるときに、第１の入力無線周波数（ＲＦ）信号を増幅し、第１の出力ＲＦ信号を提供するように構成された、増幅するための前記第１の手段と、ここで、増幅するための前記第１の手段は、独立してイネーブルまたはディセーブルにされるように構成され、前記第１の入力ＲＦ信号は、異なる周波数におけるマルチプルなキャリア上でワイヤレスデバイスに送られる伝送を備える、
増幅するための第２の手段であって、増幅するための前記第２の手段がイネーブルであるときに、前記第１の入力ＲＦ信号または第２の入力ＲＦ信号を増幅し、第２の出力ＲＦ信号を提供するように構成された、増幅するための前記第２の手段と、ここで、増幅するための前記第２の手段は、独立してイネーブルまたはディセーブルにされるように構成される、
を備える、装置。
【請求項１５】
前記第１および第２の出力ＲＦ信号を得るために、第１のモードにおいて、増幅するための前記第１および第２の手段をイネーブルにするための手段と、
前記第２の出力ＲＦ信号は得ずに前記第１の出力ＲＦ信号を得るために、第２のモードにおいて、増幅するための前記第１の手段をイネーブルにし、増幅するための前記第２の手段をディセーブルにするための手段と
をさらに備える、請求項１５に記載の装置。
【手続補正２】
【補正対象書類名】明細書
【補正対象項目名】０１１５
【補正方法】変更
【補正の内容】
【０１１５】
[00126]  本開示の先の説明は、当業者が本開示を製造または使用することを可能にするために提供される。本開示に対する様々な修正は、当業者にとって容易に明らかであり、ここに定義された一般的な原理は、本開示の範囲から逸脱することなく、他の変形物に適用されうる。したがって、本開示は、ここに説明される例および設計に限定されるように意図されず、ここに開示された原理および新規の特徴と矛盾しない最大範囲であると認められるべきである。
以下に、出願当初の特許請求の範囲に記載された発明を付記する。
［Ｃ１］
第１の増幅段であって、前記第１の増幅段がイネーブルであるときに、入力無線周波数（ＲＦ）信号を受信して増幅し、第１の出力ＲＦ信号を第１の負荷回路に提供するように構成された前記第１の増幅段と、ここにおいて、前記入力ＲＦ信号は、異なる周波数におけるマルチプルなキャリア上でワイヤレスデバイスに送られる伝送を備える、
第２の増幅段であって、前記第２の増幅段がイネーブルであるときに、前記入力ＲＦ信号を受信して増幅し、第２の出力ＲＦ信号を第２の負荷回路に提供するように構成された前記第２の増幅段と
を備える、装置。
［Ｃ２］
前記第１の増幅段が、第１のカスコードトランジスタに結合された第１のゲイントランジスタを備え、前記第２の増幅段が、第２のカスコードトランジスタに結合された第２のゲイントランジスタを備え、前記入力ＲＦ信号が、前記第１および第２のゲイントランジスタの両方に提供される、上記Ｃ１に記載の装置。
［Ｃ３］
前記第１の増幅段が、前記第１のゲイントランジスタに結合された第１のインダクタをさらに備え、前記第２の増幅段が、前記第２のゲイントランジスタに結合された第２のインダクタをさらに備える、上記Ｃ２に記載の装置。
［Ｃ４］
前記第１および第２のゲイントランジスタが、回路グラウンドに結合されたソースを有する、上記Ｃ２に記載の装置。
［Ｃ５］
前記第１および第２の増幅段が、第１のモードでは、前記第１および第２の出力ＲＦ信号を提供し、第２のモードでは、前記第１の出力ＲＦ信号を提供するが前記第２の出力ＲＦ信号を提供せず、前記第１のモードでは、前記第１および第２のカスコードトランジスタがイネーブルであり、前記第２のモードでは、前記第１および第２のカスコードトランジスタのうちの一方のみがイネーブルである、上記Ｃ２に記載の装置。
［Ｃ６］
前記第１および第２のゲイントランジスタが、前記第１のモードおよび前記第２のモードの両方において前記入力ＲＦ信号を印加され、前記第２のモードでは、前記第１および第２のゲイントランジスタのうちの一方が飽和領域において動作し、前記第１および第２のゲイントランジスタのうちの他方が線形領域において動作する、上記Ｃ５に記載の装置。
［Ｃ７］
前記第１および第２の増幅段のうちの少なくとも１つの出力と入力との間に結合されたフィードバック回路
をさらに備える、上記Ｃ１に記載の装置。
［Ｃ８］
前記フィードバック回路が、レジスタ、もしくはキャパシタ、またはレジスタとキャパシタの両方を備える、上記Ｃ７に記載の装置。
［Ｃ９］
前記第１の増幅段に結合され、前記入力ＲＦ信号を受信するように構成された、第１の減衰回路と、
前記第２の増幅段に結合され、前記入力ＲＦ信号を受信するように構成された、第２の減衰回路と
をさらに備える、上記Ｃ１に記載の装置。
［Ｃ１０］
前記第１および第２の増幅段に結合され、前記入力ＲＦ信号を受信するように構成された減衰回路
をさらに備える、上記Ｃ１に記載の装置。
［Ｃ１１］
前記第１および第２の増幅段に結合され、受信機入力信号を受信して前記入力ＲＦ信号を提供するように構成された入力整合回路
をさらに備える、上記Ｃ１に記載の装置。
［Ｃ１２］
前記入力整合回路が同調可能であり、少なくとも１つの調整可能な回路コンポーネントを備える、上記Ｃ１１に記載の装置。
［Ｃ１３］
第３の増幅段であって、前記第３の増幅段がイネーブルであるときに、第２の入力ＲＦ信号を受信して増幅し、前記第１の出力ＲＦ信号を前記第１の負荷回路に提供するように構成された前記第３の増幅段と、
第４の増幅段であって、前記第４の増幅段がイネーブルであるときに、前記第２の入力ＲＦ信号を受信して増幅し、前記第２の出力ＲＦ信号を前記第２の負荷回路に提供するように構成された前記第４の増幅段と
をさらに備える、上記Ｃ１に記載の装置。
［Ｃ１４］
前記第１の増幅段は、前記第１の増幅段がイネーブルであるときに、前記入力ＲＦ信号または第２の入力ＲＦ信号を受信して増幅し、前記第１の出力ＲＦ信号を前記第１の負荷回路に提供するように構成され、
前記第２の増幅段は、前記第２の増幅段がイネーブルであるときに、前記入力ＲＦ信号または前記第２の入力ＲＦ信号を受信して増幅し、前記第２の出力ＲＦ信号を前記第２の負荷回路に提供するように構成される、
上記Ｃ１に記載の装置。
［Ｃ１５］
前記第１の増幅段が、第３のカスコードトランジスタに結合された第３のゲイントランジスタをさらに備え、前記第２の増幅段が、第４のカスコードトランジスタに結合された第４のゲイントランジスタをさらに備え、第２の入力ＲＦ信号が、前記第３および第４のゲイントランジスタの両方に提供される、上記Ｃ２に記載の装置。
［Ｃ１６］
第３の増幅段であって、前記第３の増幅段がイネーブルであるときに、第３の入力ＲＦ信号または第４の入力ＲＦ信号を受信して増幅し、前記第１の出力ＲＦ信号を前記第１の負荷回路に提供するように構成された前記第３の増幅段と、
第４の増幅段であって、前記第４の増幅段がイネーブルであるときに、前記第３の入力ＲＦ信号または前記第４の入力ＲＦ信号を受信して増幅し、前記第２の出力ＲＦ信号を前記第２の負荷回路に提供するように構成された前記第４の増幅段と
をさらに備える、上記Ｃ１４に記載の装置。
［Ｃ１７］
第１の増幅段がイネーブルであるときに、第１の出力無線周波数（ＲＦ）信号を得るために、前記第１の増幅段で第１の入力ＲＦ信号を増幅することと、ここにおいて、前記第１の入力ＲＦ信号は、異なる周波数におけるマルチプルなキャリア上でワイヤレスデバイスに送られる伝送を備える、
第２の増幅段がイネーブルであるときに、第２の出力ＲＦ信号を得るために、前記第２の増幅段で前記第１の入力ＲＦ信号または第２の入力ＲＦ信号を増幅することと
を備える、方法。
［Ｃ１８］
前記第１および第２の出力ＲＦ信号を得るために、第１のモードにおいて、前記第１および第２の増幅段をイネーブルにすることと、
前記第２の出力ＲＦ信号は得ずに前記第１の出力ＲＦ信号を得るために、第２のモードにおいて、前記第１の増幅段をイネーブルにし、前記第２の増幅段をディセーブルにすることと
をさらに備える、上記Ｃ１７に記載の方法。
［Ｃ１９］
増幅するための第１の手段であって、増幅するための前記第１の手段がイネーブルであるときに、第１の入力無線周波数（ＲＦ）信号を増幅し、第１の出力ＲＦ信号を提供するように構成された、増幅するための前記第１の手段と、ここにおいて、前記第１の入力ＲＦ信号は、異なる周波数におけるマルチプルなキャリア上でワイヤレスデバイスに送られる伝送を備える、
増幅するための第２の手段であって、増幅するための前記第２の手段がイネーブルであるときに、前記第１の入力ＲＦ信号または第２の入力ＲＦ信号を増幅し、第２の出力ＲＦ信号を提供するように構成された、増幅するための前記第２の手段と
を備える、装置。
［Ｃ２０］
前記第１および第２の出力ＲＦ信号を得るために、第１のモードにおいて、増幅するための前記第１および第２の手段をイネーブルにするための手段と、
前記第２の出力ＲＦ信号は得ずに前記第１の出力ＲＦ信号を得るために、第２のモードにおいて、増幅するための前記第１の手段をイネーブルにし、増幅するための前記第２の手段をディセーブルにするための手段と
をさらに備える、上記Ｃ１９に記載の装置。